(57)【要約】【課題】本発明は、電子機器と、それを搭載した移動装置に関するもので、使い勝手を向上することを目的とするものである。【解決手段】電子機器は、基体７と、この基体７に対して開閉自在に設けた表示器９とを備え、前記表示器９は、表面側の表示部１４と、この表示部１４に接続された制御部１５とを有し、前記表示器９の背面に対応する前記基体７の表面側に、携帯機器装着部１１を設けるとともに、前記表示器９内で、前記携帯機器装着部１１に対向する部分には、充電コイル１２を設けた。【選択図】図２
2014003564.tif 000002
【特許請求の範囲】
【請求項１】
基体と、この基体に対して開閉自在に設けた表示器とを備え、前記表示器は、表面側の表示部と、この表示部に接続された制御部とを有し、前記表示器の背面側、または前記表示器の背面に対応する前記基体の表面側に、携帯機器装着部を設けるとともに、前記表示器内で、前記携帯機器装着部に対向する部分には、充電コイルを設けた電子機器。
【請求項２】
制御部は、携帯機器装着部への携帯機器の装着状態を、表示部に表示させる構成とした請求項１に記載の電子機器。
【請求項３】
請求項１または請求項２に記載の電子機器を、座席の背面側に設置した移動装置。
【発明の詳細な説明】
【技術分野】
【０００１】
本発明は、携帯機器の充電機能を備えた電子機器と、それを搭載した移動装置（例えば自動車）に関するものである。
【背景技術】
【０００２】
この種の電子機器は、基体と、この基体に設けた表示器とを備え、前記表示器は、表面側の表示部と、この表示部に接続された制御部とを有する構成となっていた。
【０００３】
すなわち、例えば自動車や飛行機などにおいて、前席背面側に、前記電子機器の基体を取り付け、後席において、前記表示部に映し出される映像の視聴することが出来るようにしていた。
【０００４】
また、このような電子機器には充電コンセントを設け、ここに充電コネクターを装着することで、携帯機器への充電が行えるようにしたものもある（例えば下記特許文献１）。
【先行技術文献】
【特許文献】
【０００５】
【特許文献１】特表２０１０−５３８９０４号公報
【発明の概要】
【発明が解決しようとする課題】
【０００６】
上記従来例では、携帯機器への充電時には、電子機器の充電コンセントに充電コネクターを装着し、電子機器と携帯機器が充電ケーブルを介して接続された状態となる。
【０００７】
しかしながら、このような状態では、携帯機器が露出しているので、充電後にそのまま車内に置き忘れた場合には、盗難の虞があり、使い勝手の悪いものとなる。
【０００８】
そこで、本発明は、使い勝手を向上することを目的とするものである。
【課題を解決するための手段】
【０００９】
そしてこの目的を達成するために本発明は、基体と、この基体に対して開閉自在に設けた表示器とを備え、前記表示器は、表面側の表示部と、この表示部に接続された制御部とを有し、前記表示器の背面側、または前記表示器の背面に対応する前記基体の表面側に、携帯機器装着部を設けるとともに、前記表示器内で、前記携帯機器装着部に対向する部分には、充電コイルを設け、これによって所期の目的を達成するものである。
【発明の効果】
【００１０】
以上のように本発明は、基体と、この基体に対して開閉自在に設けた表示器とを備え、前記表示器は、表面側の表示部と、この表示部に接続された制御部とを有し、前記表示器の背面側、または前記表示器の背面に対応する前記基体の表面側に、携帯機器装着部を設けるとともに、前記表示器内で、前記携帯機器装着部に対向する部分には、充電コイルを設けたものであるので、使い勝手の良いものとなる。
【００１１】
すなわち、本発明においては、充電時には基体に対して表示器が閉成された状態となるので、携帯機器への充電後にそのまま置き忘れた状態となっても、携帯機器は表示器によって覆われた状態となり、その結果として携帯機器の盗難などは発生しにくく、使い勝手の良いものとなる。
【００１２】
また、携帯機器への充電時には、先ず、表示器を開放し、次に、携帯機器装着部に携帯機器を装着し、その後、表示器を閉成すれば、充電コイルによる非接触充電を行うことが出来、つまり、携帯機器（たとえば携帯電話）への充電ケーブル接続作業などが発生せず、この点からも使い勝手の良いものとなる。
【図面の簡単な説明】
【００１３】
【図１】本発明の一実施形態にかかる電子機器を自動車に搭載した状態を示す断面図
【図２】同電子機器の斜視図
【図３】同電子機器の断面図
【図４】同電子機器の制御ブロック図
【図５】同電子機器の表示内容を示す図
【図６】同電子機器の表示内容を示す図
【図７】同動作フローチャート
【発明を実施するための形態】
【００１４】
以下、本発明の一実施形態を、添付図面を用いて説明する。
【００１５】
（実施の形態１）
図１に示すように、移動装置の一例として用いた自動車１の車内２の前方から後方に向けてハンドル３、前席４、後席５が順次配置されている。
【００１６】
また、前席４の背面側には電子機器６が配置されており、この電子機器６は、図２、図３に示すような構造となっている。
【００１７】
すなわち、電子機器６は、前席４の背面側に取り付けられた基体７と、この基体７の表面側に設けた凹部８に対して開閉自在に設けた表示器９とを備えている。
【００１８】
具体的には、表示器９の下部には回転軸（図示せず）が設けられ、またこの表示器９の上部には基体７への係合突起（図示せず）が設けられ、さらに基体７の表示器９上方には、前記係合突起（図示せず）を解除する開閉ボタン１０が設けられている。
【００１９】
このため、開閉ボタン１０を押せば、表示器９は下方の回転軸（図示せず）を中心に、図３から図２のごとく、その上辺が下方へと移動し、これにより表示器９が開放された状態となる。
【００２０】
また、前記表示器９の背面に対応する前記基体７の表面側には、図２に示すように、上方が開口した携帯機器装着部１１が設けられている。
【００２１】
さらに、表示器９内で、前記携帯機器装着部１１に対向する部分には、充電コイル１２が設けられている。
【００２２】
つまり、携帯機器（たとえば携帯電話）１３の充電時には、この携帯機器（たとえば携帯電話）１３を図３のごとく携帯機器装着部１１内に装着すれば、充電コイル１２による非接触充電が行えるようになっているのである。
【００２３】
また、前記表示器９は、図３に示す表面側の表示部１４と、この表示部１４に接続された図４に示す制御部１５と、この制御部１５に接続された映像処理部１６、リモコン受光部１７、スピーカ１８、および前記充電コイル１２とを備え、前記表示部１４と映像処理部１６も接続された状態となっている。
【００２４】
さらに、この表示器９で非接触充電を行う携帯機器（たとえば携帯電話）１３は、図４に示すように、前記充電コイル１２からの磁束が通過する充電コイル１９と、この充電コイル１９に充電部２０を介して接続された充電電池２１を備えている。
【００２５】
また、前記充電部２０には制御部２２が接続され、この制御部２２に表示部２３と操作部２４が接続されている。
【００２６】
以上の構成において、携帯機器（たとえば携帯電話）１３の充電を行う時には、先ずは、電源スイッチ（図示せず）を操作し（図７のＳ１）、次に、開閉ボタン１０を押し、表示器９を図３から図２のごとく、開放する。
【００２７】
その後、図２のごとく、携帯機器装着部１１に携帯機器（たとえば携帯電話）１３を装着し、次に、図３に示すように、表示器９を閉成する。
【００２８】
すると、この図３のごとく、表示器９内の充電コイル１２と、携帯機器（たとえば携帯電話）１３の充電コイル１９が接近し、対向するので、充電コイル１２のインピーダンスが変化し、これにより、制御部１５は携帯機器（たとえば携帯電話）１３が携帯機器装着部１１に装着されたことを検出する（図７のＳ２）。
【００２９】
なお、充電コイル１２と、充電コイル１９が接近することで、充電コイル１２のインピーダンスが変化することは例えば特開２００９−２４７１９４号公報等により知られた技術であるので、説明の煩雑化を避けるため、ここでは、詳細な説明は行わない。
【００３０】
そして、この図７のＳ２において、携帯機器（たとえば携帯電話）１３が携帯機器装着部１１に装着されたことを、制御部１５が検出すると、この制御部１５は、表示部１４に図５に示すような選択画面を表示する（図７のＳ３）。
【００３１】
具体的には、表示部１４に「充電を開始するか、否か」の表示と、その選択キーが表示されるので、使用者は、この画面を確認し、選択キーで、例えばＹｅｓを選択する（図７のＳ４）。
【００３２】
すると、制御部１５は図５の表示を消去するとともに、充電コイル１２に通電し、携帯機器（たとえば携帯電話）１３への充電が開始される（図７のＳ５）。
【００３３】
また、この状態では、表示部１４に図６に示すような画面を表示することも出来る。
【００３４】
この図６では、例えば表示部１４にサッカーのＴＶ映像が映し出されているが、制御部１５は、その時でも、表示部１４内の右上に、充電実行表示２５を映し出している。
【００３５】
つまり、携帯機器装着部１１に携帯機器（たとえば携帯電話）１３が装着され、充電が実行されている状態が表示部１４に表示された状態としているのである（図７のＳ６）。
【００３６】
また、この充電時において、携帯機器（たとえば携帯電話）１３に対する通信（例えば電話や電子メール）が到達すると、制御部１５により、表示部１４内の右上に、電話着信表示２６、電子メール着信表示２７を映し出す構成ともしている（図７のＳ７）。
【００３７】
なお、充電実行表示２５、電話着信表示２６、電子メール着信表示２７を表示部１４に映し出すには、携帯機器（たとえば携帯電話）１３の制御部２２と、電子機器６の制御部１５が接続状態になっていることが必要であるが、この両者の接続には例えば、ブルーツ
ゥース（登録商標）技術が活用されている。
【００３８】
そして、携帯機器（たとえば携帯電話）１３の充電中であっても、上述した電話着信表示２６、電子メール着信表示２７があると、開閉ボタン１０を押し、表示器９を開放し、携帯機器装着部１１を表出させ、この携帯機器装着部１１から携帯機器（たとえば携帯電話）１３を取り出すことになる（図７のＳ８）。
【００３９】
そして、この携帯機器（たとえば携帯電話）１３の取り出しを機に、以降の充電を中止するときには、電源スイッチ（図示せず）を押して、充電を終了する（図７のＳ９）。
【００４０】
なお、図７のＳ８において、携帯機器（たとえば携帯電話）１３を取り出さずに、ハンドフリー技術により電話会話を行うことも出来る。
【００４１】
すなわち、本実施形態の携帯機器（たとえば携帯電話）１３の制御部２２と、電子機器６の制御部１５がブルーツゥース技術によって接続されているので、このときのハンドフリー技術による電話会話も実行することが出来るのである。
【００４２】
また、図７のＳ４において、表示部１４に図５のごとく表示された選択キーからＮｏを選択した場合には、制御部１５は、この図５の表示を消去し、待機状態とする（図７のＳ１０）。
【００４３】
その後、充電を実行したいときには、図４に示したリモコン２８によって、充電実行を行う（Ｓ１１、Ｓ１２）。
【００４４】
つまり、リモコン２８により充電実行が操作されると、それをリモコン受光部１７で受信し、制御部１５に伝達する。
すると、制御部１５は、図７のＳ３に戻って、表示部１４に図５に示すような選択画面を表示するので、充電動作を開始することが出来るようになるのである。
【００４５】
以上のように本実施形態の電子機器は、基体７と、この基体７に対して開閉自在に設けた表示器９とを備え、前記表示器９は、表面側の表示部１４と、この表示部１４に接続された制御部１５とを有し、前記表示器９の背面に対応する前記基体７の表面側に、携帯機器装着部１１を設けるとともに、前記表示器９内で、前記携帯機器装着部１１に対向する部分には、充電コイル１２を設けたものであるので、使い勝手の良いものとなる。
【００４６】
すなわち、本実施形態においては、充電時には基体７に対して表示器９が閉成された状態となるので、携帯機器（たとえば携帯電話）１３への充電後にそのまま置き忘れた状態となっても、携帯機器（たとえば携帯電話）１３は表示器９によって覆われた状態となる。
【００４７】
このため、車内２に携帯機器（たとえば携帯電話）１３を置き忘れたことに気付かれず、その結果として、盗難などは発生しにくく、使い勝手の良いものとなる。
【００４８】
また、携帯機器（たとえば携帯電話）１３への充電時には、先ず、表示器９を開放し、次に、携帯機器装着部１１に携帯機器（たとえば携帯電話）１３を装着し、その後、表示器９を閉成すれば、充電コイル１２による非接触充電を行うことが出来、つまり、携帯機器（たとえば携帯電話）１３への充電ケーブル接続作業などが発生せず、この点からも使い勝手の良いものとなる。
【００４９】
なお、上記実施の形態では、表示器９の背面に対応する前記基体７の表面側に、携帯機
器装着部１１を設けたが、この携帯機器装着部１１は表示器９の背面側、つまり充電コイル１２に対向する部分に設けても良い。
【産業上の利用可能性】
【００５０】
以上のように本発明によれば、充電時には基体に対して表示器が閉成された状態となるので、携帯機器への充電後にそのまま置き忘れた状態となっても、携帯機器は表示器によって覆われた状態となり、その結果として携帯機器の盗難などは発生しにくく、使い勝手の良いものとなる。
【００５１】
したがって、自動車、飛行機、電車などの移動装置への活用が期待されるものとなる。
【符号の説明】
【００５２】
１  自動車
２  車内
３  ハンドル
４  前席
５  後席
６  電子機器
７  基体
８  凹部
９  表示器
１０  開閉ボタン
１１  携帯機器装着部
１２  充電コイル
１３  携帯機器（たとえば携帯電話）
１４  表示部
１５  制御部
１６  映像処理部
１７  リモコン受光部
１８  スピーカ
１９  充電コイル
２０  充電部
２１  充電電池
２２  制御部
２３  表示部
２４  操作部
２５  充電実行表示
２６  電話着信表示
２７  電子メール着信表示
２８  リモコン
【図１】
2014003564.tif 000003
【図２】
2014003564.tif 000004
【図３】
2014003564.tif 000005
【図４】
2014003564.tif 000006
【図５】
2014003564.tif 000007
【図６】
2014003564.tif 000008
【図７】
2014003564.tif 000009